(57)【特許請求の範囲】
【請求項１】
電子機器を構成する本体筐体と、
閉じられた状態では、前記本体筐体と略同一面となるように前記本体筐体に開閉自在に取り付けられた開閉蓋と、
前記開閉蓋と前記本体筐体とを連結し、かつ、前記開閉蓋を前記本体筐体に引き込む方向に付勢する巻きバネ部を有した一対のトーションバネと
からなる蓋機構を備えた電子機器であって、
前記本体筐体は、その一部に段差を有した平面部を形成し、
前記開閉蓋は、上げ下げすることにより開閉を行う第１の端部と、前記第１の端部とは反対側にある第２の端部と、前記第２の端部より内側近傍にあって、前記開閉蓋の両側に設けられ、開閉時の回動支点となる一対の開孔とから構成され、
前記一対のトーションバネは、一端は前記開閉蓋に設けた前記一対の開孔にそれぞれ挿入されて取り付け、他の一端は前記本体筐体にそれぞれ固定して、前記巻きバネ部を中心として前記回動支点となる開孔を前記本体筐体内側に引き込む方向に付勢するように構成し、
前記開閉蓋は、閉じられた状態では、
前記第２の端部側であって、前記開孔よりさらに内側の位置まで前記本体筐体に設けられた前記平面部と重なりあい、
前記開閉蓋はその開閉時には、
前記回動支点を中心に回動しながら、前記第２の端部が前記トーションバネの付勢力によって前記平面部上に押しつけられてスライドし、
前記トーションバネの巻きバネ部の中心と開孔を結ぶラインを過ぎて開かれたとき、前記トーションバネの付勢力は前記開閉蓋をさらに開ける方向に働くことを特徴とする蓋機構を有する電子機器。
【発明の詳細な説明】
【０００１】
【発明の属する技術分野】
本発明は蓋機構を備えた電子機器に関し、詳しくは、電池やハードディスクドライブ装置、メモリ等の着脱のための蓋機構を備えたノートパソコンのような電子機器に関するものである。
【０００２】
【従来の技術】
近年、ノートパソコンのような携帯型の電子機器において、小型軽量化が進み、携帯性の向上が図られている。これに伴って、電池での駆動機会が増え、電池の交換が容易に実施できるように、ワンタッチで開閉できる蓋機構の中に電池を搭載するようになってきている。また、保守、性能向上のためにハードディスクドライブ装置や、メモリ、その他の部品を追加、交換を容易に実施するために、これらの部品を蓋機構の中に収め、蓋の開閉によってこれらの作業が簡単に行えるようになってきている。従来はこういった蓋は携帯型電子機器の下面に配置されることが一般的であったが、着脱の容易性などの点から、装置を反転することなく操作が行えるように天面や側面にこれを配置することが多くなってきている。これにともない、キャビネットの上面に開閉蓋を配置し、これの開閉によって電池などの交換、保守が可能な形態になってきている。
【０００３】
以下、従来の蓋機構を有する電子機器について図を用いて説明する。
図３、図４は従来の電子機器の開閉蓋部分の外観斜視図（一部断面）で、図３は開閉蓋を開けた状態、図４は開閉蓋を閉じた状態を示している。図において、２１は電子機器の本体キャビネット、２は本体キャビネット２１に内蔵された電池、２３は本体キャビネット２１の上面と略同一面に配置された開閉蓋で、本体キャビネット２１に軸２３ａで回動可能に取り付けられている。電池２は、開閉蓋２３が開閉することによって電子機器本体から着脱できる構造となっている。電池２は本体キャビネット２１内の回路基板（図示せず）と電気的に接続されている。また、開閉蓋２３は閉じた状態で本体キャビネット２１に固定されるためのロック機構（図示せず）を有している。
【０００４】
以上のように構成された従来の電子機器について、以下その動作を説明する。通常の使用状態では、開閉蓋２３は本体キャビネット２１にロック機構によって閉じた状態で固定されている。電池２の交換の際には、ロック機構を解除し、本体キャビネット２１に取り付けられた軸２３ａを中心に回転させて開閉蓋２３を開け、電池２を着脱する。開閉蓋２３は閉じた状態（通常状態）では、埃、水滴の進入の防止、見栄えの点から、本体キャビネット２１との隙間は極力小さくする必要があるため、開閉蓋２３の端面２３ｂが本体キャビネット２１の内側に潜り込むようにせり出している。また、開閉蓋２３は電池等の着脱の容易性から、９０°以上の開閉角度が必要とされている。
【０００５】
【発明が解決しようとする課題】
しかし、このような上記従来の蓋機構を有する電子機器では、開閉蓋を９０°以上開けるために、軸２３ａと本体キャビネット２１の開口部端面は距離をとる必要があり、また、閉じた状態で水滴や埃の進入を防止し、見栄えをよくするために、開閉蓋２３の端部２３ｂが本体キャビネット２１に潜り込ませていることから、開閉蓋２３の開閉時には、端部２３ｂが本体キャビネット２１に潜り込むようにして回転する。よって、端部２３ｂの回転のために必要な図中Ｌ寸法が大きくなり、スペースを有効に使わなければならない携帯型の電子機器では、この空間が無駄になっていた。また、開閉蓋２３を開けた状態では、開閉蓋２３は固定されていないので、電池２の交換作業中に開閉蓋２３が閉じてしまうといった不具合も生じていた。
【０００６】
本発明は、上記従来の課題を解決するもので、開閉蓋を閉じた状態では、本体キャビネットとの間に生じる溝や隙間を極力小さくし、開閉蓋の開閉動作で、開閉蓋の端部が本体キャビネットに潜り込むことなく、開閉による無駄なスペースを小さくし、携帯型電子機器の空間の有効利用を図り、電池等の交換作業の際に開閉蓋が自然落下して閉じてしまうといった不具合を防止することを目的としている。
【０００７】
【課題を解決するための手段】
上記課題を解決するために、本発明の蓋機構を有する電子機器は、本体筐体に略同一面に取り付けられた開閉蓋と、一端が開閉蓋に、他の一端が本体筐体に取り付けられ、開閉蓋を本体筐体に引き寄せる方向に付勢するトーションバネとを有し、前記開閉蓋は、その端面より内側にトーションバネの一端により回動自在に取り付けられる回動支点を有し、さらに本体筐体に設けられた平面部にその端面をスライドさせ、開閉動作を行うようにしている。
【０００８】
上記構成とすることにより、開閉蓋を閉じた状態では、トーションバネによって開閉蓋が本体筐体に引き寄せられていることから、本体筐体と開閉蓋の隙間を小さく抑えることができ、埃、水滴などの進入を防止できる。また、開閉時に、開閉蓋が本体筐体上面をスライドするように動くため、開閉蓋端部が本体筐体内部に潜り込まず、開閉のための余分なスペースが必要なく、携帯型電子機器内部の空間の有効活用が可能となる。また、開閉蓋をある角度（９０°以上）開けた状態では、トーションバネの回転力により開閉蓋は閉じる方向ではなく開閉蓋を開ける方向に付勢力が働くことから、電池等の着脱作業中に開閉蓋が閉まってしまうといった不具合もなくなる。
【０００９】
【発明の実施の形態】
本発明の請求項１に記載の発明は、
電子機器を構成する本体筐体と、
閉じられた状態では、前記本体筐体と略同一面となるように前記本体筐体に開閉自在に取り付けられた開閉蓋と、
前記開閉蓋と前記本体筐体とを連結し、かつ、前記開閉蓋を前記本体筐体に引き込む方向に付勢する巻きバネ部を有した一対のトーションバネと
からなる蓋機構を備えた電子機器であって、
前記本体筐体は、その一部に段差を有した平面部を形成し、
前記開閉蓋は、上げ下げすることにより開閉を行う第１の端部と、前記第１の端部とは反対側にある第２の端部と、前記第２の端部より内側近傍にあって、前記開閉蓋の両側に設けられ、開閉時の回動支点となる一対の開孔とから構成され、
前記一対のトーションバネは、一端は前記開閉蓋に設けた前記一対の開孔にそれぞれ挿入されて取り付け、他の一端は前記本体筐体にそれぞれ固定して、前記巻きバネ部を中心として前記回動支点となる開孔を前記本体筐体内側に引き込む方向に付勢するように構成し、
前記開閉蓋は、閉じられた状態では、
前記第２の端部側であって、前記開孔よりさらに内側の位置まで前記本体筐体に設けられた前記平面部と重なりあい、
前記開閉蓋はその開閉時には、
前記回動支点を中心に回動しながら、前記第２の端部が前記トーションバネの付勢力によって前記平面部上に押しつけられてスライドし、
前記トーションバネの巻きバネ部の中心と開孔を結ぶラインを過ぎて開かれたとき、前記トーションバネの付勢力は前記開閉蓋をさらに開ける方向に働くことを特徴とする蓋機構を有する電子機器、であり、
開閉蓋を閉じた状態では、トーションバネによって開閉蓋が本体筐体に引き寄せられ、しかも本体筐体と重なりあっていることから、本体筐体と開閉蓋の隙間を小さく抑えることができ、埃、水滴などの進入を防止できる。また、開閉蓋開閉時に、開閉蓋端部が本体筐体内に潜り込まないことから、開閉のための余分な隙間が必要なく、携帯型電子機器内部の空間の有効活用が可能となり、また、開閉蓋を９０°以上開けた状態では、トーションバネの回転力により開閉蓋を開ける方向に付勢力が働くことから、電池等の着脱作業中に開閉蓋が閉まってしまうといった不具合もなくなる等の作用を有する。
【００１１】
以下、本発明の実施の形態について、図を用いて説明する。
（実施の形態１）
図１、図２は本発明の一実施の形態の電子機器の開閉蓋部分の外観斜視図（一部断面）で、図１は開閉蓋を開けた状態、図２は開閉蓋を閉じた状態を示している。図において、１は電子機器の本体キャビネット、２は本体キャビネット１に内蔵された電池、３は本体キャビネットの上面と略同一面に配置された開閉蓋である。４はトーションバネであり、一端が本体キャビネットに固定（図示せず）され、他の一端が開閉蓋３の端面より少し内側の位置に設けられた開孔３ａに挿入され、開閉蓋３を開孔３ａを支点として回動可能に取り付けている。トーションバネ４は巻きバネ部４ａを中心にして、前述の開孔３ａを本体キャビネット１側に引き込む方向に付勢力が発生するようになっている。開閉蓋３は閉じられた状態で開孔３ａよりさらに内側の位置まで本体キャビネット１と重なり合うようになっている。また、本体キャビネット１の開閉蓋３と重なり合う部分は平面部１ａとなっている。
【００１２】
以上のように構成された本実施の形態の電子機器について、以下その動作を説明する。通常は図２に示すように開閉蓋３は閉じられており、電池２を交換等のため着脱する際には、開閉蓋３のもう一方の端部３ｃを持ち上げることによって行う。開閉蓋３は開孔３ａを中心に回転し、トーションバネ４は巻きバネ部４ａを中心に開閉蓋３を常に本体キャビネット１の平面部１ａに押しつけるように付勢しているため、開閉蓋３の端部３ｂが平面部１ａ上をスライドする。開閉蓋３が回転し、トーションバネ４の巻きバネ部４ａの中心と開閉蓋３の開孔３ａを結ぶラインを過ぎて開かれた時、トーションバネ４の付勢力は開閉蓋３をさらに開ける方向に働く。このため、その後の電池２の着脱の際に開閉蓋３が開いた状態を保てる。
【００１３】
このように、本実施の形態では、従来例に比べて、開閉蓋開閉時に、開閉蓋の端部が本体キャビネットに潜り込まないため、図中Ｌ寸法を小さくでき、開閉蓋開閉のための無駄なスペースを設ける必要がない。また、開閉蓋をある角度（９０゜以上）以上開けた状態では、開閉蓋が開く方向に付勢力が作用することから、電池交換など開閉蓋を開けた状態が保持できる。また、開閉蓋を閉じた状態では、開閉蓋表面と本体キャビネットは略同一面となり、段差、隙間を小さくできる。また、トーションバネにより開閉蓋が本体キャビネットにひき寄せられているので、開閉蓋と本体の密着性の向上を図ることが可能となる。
【００１４】
なお、本実施の形態では、巻きバネ状のトーションバネとしたが、一端が軸形状をした板バネでもよいことはいうまでもない。
【００１５】
【発明の効果】
以上のように本発明によれば、開閉蓋の端部が、本体筐体に潜り込まずに、その上面をスライドすることで開閉が可能としたため、開閉蓋開閉のための不要なスペースを極力小さくすることが可能であり、携帯型電子機器内部の空間の有効活用が可能となる。また、開閉蓋をある角度（９０°以上）以上開けた状態では、トーションバネの付勢力が開閉蓋を開ける方向に働くので、電池交換などの作業中に開閉蓋が自由落下によって閉まってしまうことがなく、これらの作業性の向上を図ることができる。また、開閉蓋を閉じた状態では、開閉蓋端部と本体筐体との隙間・段差を小さくすることができ、特に、携帯型電子機器の天面に開閉蓋を配置する場合に、見栄えを美しく仕上げることが可能となる。また、開閉蓋を閉じた状態では、トーションバネが、開閉蓋を閉じる方向に働くことから、本体筐体と開閉蓋の密着度を向上させることができ、水滴、埃の進入を防止できるなど極めて有用である。
【図面の簡単な説明】
【図１】本発明の一実施の形態の電子機器の開閉蓋を開けた状態を示す外観斜視図
【図２】本発明の一実施の形態の電子機器の開閉蓋を閉じた状態を示す外観斜視図
【図３】従来の電子機器の開閉蓋を開けた状態を示す外観斜視図
【図４】従来の電子機器の開閉蓋を閉じた状態を示す外観斜視図
【符号の説明】
１  本体キャビネット
１ａ  平面部
３  開閉蓋
３ａ  開孔
４  トーションバネ
【図１】
0004061698.tif 000002
【図２】
0004061698.tif 000003
【図３】
0004061698.tif 000004
【図４】
0004061698.tif 000005